(57)【要約】【課題】コネクタのサイズとカード挿入検知の誤差を小さくし、金型費用の低減を可能にしたカード用コネクタを提供する。【解決手段】カードが挿入されるカード挿入スペース１５と、カード側のコンタクトに嵌合するためのピンコンタクトが配設されたコンタクト部１３と、カード挿入スペース１５に挿入されたカードの挿入状態及びライトプロテクト設定状態を検知するためのスイッチ部２０とを有するハウジング１０を備える。ハウジング１０の後縁部（カード挿入スペースの最奥部）付近にスイッチ部２０を設けて、そのスイッチ部２０の３種類の各端子（カード挿入検知用端子２１ａ、コモン端子２２ａ、ライトプロテクト検知用端子２３ａ）をハウジング１０の後縁面からカード挿入方向に沿って外部へ引き出す構造とした。【選択図】　　　図１
2004134195.tif 000002
【特許請求の範囲】
【請求項１】
カードが挿入されるカード挿入スペースと、カード側のコンタクトに嵌合するためのピンコンタクトが配設されたコンタクト部と、前記カード挿入スペースに挿入されたカードの挿入状態を検知するためのスイッチ部とを有するハウジングを備えたカード用コネクタにおいて、
前記スイッチ部は、
前記カード挿入スペースの後端面に沿って、カード挿入方向に対して略直角に延設され、前記カード挿入スペースに挿入されるカードの先端面に押圧されて変位する板状の金属板バネと、
前記金属板バネと一体的に形成され、且つカード挿入方向に沿って延設されたリード状の第一の端子と、
前記カード挿入スペースの後端面より後方の位置で前記カード挿入方向に対して垂直方向に立設され、変位した前記金属板バネが当接される金属突起部と、
前記金属突起部と一体的に形成され、且つカード挿入方向に沿って延設されたリード状の第二の端子とを有し、
前記第一及び第二の端子を前記ハウジングの後縁面より外部へ引き出す構造としたことを特徴とするカード用コネクタ。
【請求項２】
カードが挿入されるカード挿入スペースと、カード側のコンタクトに嵌合するためのピンコンタクトが配設されたコンタクト部と、前記カード挿入スペースに挿入されたカードの挿入状態及びライトプロテクト設定状態を検知するためのスイッチ部とを有するハウジングを備えたカード用コネクタにおいて、
前記スイッチ部は、
前記カード挿入スペースの後端面に沿って、カード挿入方向に対して略直角に延設され、前記カード挿入スペースに挿入されるカードの先端面に押圧されて変位する板状の第一の金属板バネと、
前記カード挿入スペースの後端面より後方の位置で前記カード挿入方向に対して垂直方向に立設され、変位した前記第一の金属板バネが当接される金属突起部と、
前記カード挿入スペースの一側面に沿ってカード挿入方向に延設され、前記第一の金属板バネより前方の位置で、前記カード挿入スペースに挿入されるカードの側壁面またはライトプロテクト設定／非設定用のロック手段に押圧されて変位する板状の第二の金属板バネと、
前記第一及び第二の金属板バネに一体的に形成され、且つカード挿入方向に沿って延設されたリード状の第一の端子と、
前記第二の金属板バネに並行して設置され、変位した前記第二の金属板バネが当接される金属当接部と、
前記金属突起部と一体的に形成され、且つカード挿入方向に沿って延設されたリード状の第二の端子と、
前記金属当接部と一体的に形成され、且つカード挿入方向に沿って延設されたリード状の第三の端子とを有し、
前記第一、第二及び第三の端子を前記ハウジングの後縁面より外部へ引き出す構造としたことを特徴とするカード用コネクタ。
【発明の詳細な説明】
【０００１】
【発明の属する技術分野】
本発明は、メモリカード等のカードを装着するカード用コネクタに関する。
【０００２】
【従来の技術】
従来、この種の分野の技術としては、例えば図８（ａ），（ｂ）に示すようなものがあった。
【０００３】
図８（ａ），（ｂ）は、従来のカード用コネクタの構造を示す図であり、同図（ａ）はその平面図、同図（ｂ）はカード挿入口側の側面図である。図９は、図８に示す従来のスイッチ部を用いたカード検知機能を示す模式図である。
【０００４】
同図において、１００は、ピンコンタクト群が配列されたコンタクト部１３０と、ライトプロテクト及びカード挿入を検知するためのスイッチ部２００とを収納するハウジングである。
【０００５】
スイッチ部２００は、カード挿入検知用端子２１０ａと、コモン端子２２０ａと、ライトプロテクト検知用端子２３０ａとを備え、ハウジング１００におけるカード挿入スペースの横側に配置されている。そして、これら各端子２１０ａ，２２０ａ，２３０ａは、図９に示すように、当該カード用コネクタが取り付けられた電子機器の検知回路４００に電気的に接続される。検知回路４００では、コモン端子２２０ａとカード挿入検知用端子２１０ａで電流のオン／オフ状態を検出してカード３００の挿入状態を検知し、さらにライトプロテクト検知用端子２３０ａとコモン端子２２０ａで電流のオン／オフ状態を検出してカード３００のライトプロテクト（書き込み禁止）設定の有無を検知するようになっている。
【０００６】
次に、上記カード用コネクタのカード挿入動作について、図１０及び図１１（ａ），（ｂ），（ｃ）を参照しつつ説明する。
【０００７】
図１０及び図１１（ａ）に示す状態は、カード３００の挿入前の状態を示し、このときは、ライトプロテクト検知用端子２３０ａより一体的に延びる板バネ２３０ｂの端面２３０ｃが、コモン端子２２０ａより一体的に延びる板バネ２２０ｂの一方の端面２２０ｃに接触し、且つこの板バネ２２０ｂの他方の端面２２０ｄが、カード挿入検知用端子２１０ａより一体的に延びる板バネ２１０ｂの端面２１０ｃより離れている状態にある。
【０００８】
その後、例えばライトプロテクト手段３１０がロック状態に設定されたカード３００がコネクタに挿入されていく過程で、まずライトプロテクト検知用端子２３０ａ側の端面２３０ｃが、コモン端子２２０ａ側の端面２２０ｃから一旦離れて非接触状態となる。
【０００９】
さらにカード３００がコネクタに挿入されていくと、コモン端子２２０ａ側の端面２２０ｄが、カード挿入検知用端子２１０ａ側の端面２１０ｃに接触する。その結果、検知回路４００では、カード３００が完全にコネクタに挿入されたことを検知する。さらに、ライトプロテクト検知用端子２３０ａ側の端面２３０ｃが、コモン端子２２０ａ側の端面２２０ｃに再び接触する（図１１（ｃ）参照）。これによって、検知回路４００では、カード３００にライトプロテクトが設定されていることを検知する。
【００１０】
また、他の従来技術としては、２枚のカードが挿入される嵌合口を有すると共にコンタクトが挿入される挿入溝を有するハウジングと、このハウジングに保持・固定されると共にカードとの接触部とハウジングに固定される固定部と基板に接続する接続部とからなるコンタクトで構成されるメモリーカード用コネクタにおいて、前記コンタクトの接触部側を延設した係合部を設け、前記ハウジングの挿入溝に前記コンタクトの係合部と係合する係止部を設けるものがあった（例えば、特許文献１参照）。
【００１１】
また、他の従来技術としては、コネクタ本体は左右側壁及び奥壁よりなり、左右側壁には使用されるメモリーカードの側壁に合わせた受容部がその全長に亘って形成され、側壁の内側面にはカード識別端子が複数段配置され、奥壁にはカードの蓄積情報を取り出し、又はカードに電子情報を書き込むための端子が適宜配置され、通常の書込み禁止のための保護端子が他側の側壁の適所に配置され、カード識別端子はばね状の金属帯片からなり、複数段に亘ってコンタクトの一側壁に配置されるとともに、夫々の識別端子の接触によりカードの存在を識別する識別タブが、カードを挿入しない状態では端子と離間して、側壁内に配置されているものがあった（例えば、特許文献２参照）。
【００１２】
【特許文献１】
特開２００２−８７５５
【００１３】
【特許文献２】
特開２００１−３５１７０９
【００１４】
【発明が解決しようとする課題】
しかしながら、上記従来のカード用コネクタでは、次のような問題点があった。
【００１５】
（１）コモン端子２２０ａ側の端面２２０ｄとカード挿入検知用端子２１０ａ側の端面２１０ｃとの接触は、可能な限りカード３００が完全にコネクタに挿入された状態で行われるのが好ましい。しかし、上記従来のカード用コネクタでは、図１０及び図１１（ｂ）に示すように、カード３００がコネクタに完全挿入される１．７ｍｍ前の時点で、コモン端子２２０ａ側の端面２２０ｄが、カード挿入検知用端子２１０ａ側の端面２１０ｃに接触して、カード３００が完全に挿入されたように検知してしまう、といった問題があった。
【００１６】
このようにカード挿入検知の誤差（上記従来例では１．７ｍｍ）が大きいと、カード３００がコネクタから１．７ｍｍ以上抜けないと、カード３００が抜けたことを検知することができない。そのため、カード３００が稼働中（メモリの読み出し／書き込み等）にコネクタから抜けた場合に、カード３００が損傷する可能性が大きかった。
【００１７】
（２）スイッチ部２００の各端子２１０ａ，２２０ａ，２３０ａは、カード挿入スペースの横側に設けられて、ハウジングの側面（カード挿脱方向に直角）から突出する形で外部へ引き出されている。それに合わせて、各端子２１０ａ，２２０ａ，２３０ａに一体形成された板バネ２１０ｂ，２２０ｂ，２３０ｂが配置されている。このような配置構造がコネクタの横幅を大きくする原因になっていた（図８のコネクタの横幅Ｗ１２＝３０．５０ｍｍ、図８のカードガイド部の左横幅Ｗ１１＝４．４６ｍｍ、図１０のスイッチ部２００の横幅Ｗ１４＝４ｍｍ）。
【００１８】
（３）上記従来のカード用コネクタを金型により製造するに際して、図１２に示すように、３種類の端子２１０ａ，２２０ａ，２３０ａから成るスイッチ部２００を、金型抜き方向Ｄ１１，Ｄ１２に直角の、ハウジング１００の下側方向Ｄ１３から挿入・圧入をするため、金型費用が増加する。
【００１９】
本発明は、上述の如き従来の問題点を解決するためになされたもので、その目的は、（１）コネクタのサイズを小さくし、（２）カード挿入検知の誤差を小さくし、（３）金型費用の低減を可能にした、カード用コネクタを提供することである。
【００２０】
【課題を解決するための手段】
上記目的を達成するために、本発明のカード用コネクタでは、カードが挿入されるカード挿入スペースと、カード側のコンタクトに嵌合するためのピンコンタクトが配設されたコンタクト部と、前記カード挿入スペースに挿入されたカードの挿入状態を検知するためのスイッチ部とを有するハウジングを備えたカード用コネクタにおいて、前記スイッチ部は、前記カード挿入スペースの後端面に沿って、カード挿入方向に対して略直角に延設され、前記カード挿入スペースに挿入されるカードの先端面に押圧されて変位する板状の金属板バネと、前記カード挿入スペースの後端面より後方の位置で前記カード挿入方向に対して垂直方向に立設され、変位した前記金属板バネが当接される金属突起部と、前記金属板バネと一体的に形成され、且つカード挿入方向に沿って延設されたリード状の第一の端子と、前記金属突起部と一体的に形成され、且つカード挿入方向に沿って延設されたリード状の第二の端子とを有し、前記第一及び第二の端子を前記ハウジングの後縁面より外部へ引き出す構造としたことを特徴とする。
【００２１】
本発明のカード用コネクタでは、カードが挿入されるカード挿入スペースと、カード側のコンタクトに嵌合するためのピンコンタクトが配設されたコンタクト部と、前記カード挿入スペースに挿入されたカードの挿入状態及びライトプロテクト設定状態を検知するためのスイッチ部とを有するハウジングを備えたカード用コネクタにおいて、前記スイッチ部は、前記カード挿入スペースの後端面に沿って、カード挿入方向に対して略直角に延設され、前記カード挿入スペースに挿入されるカードの先端面に押圧されて変位する板状の第一の金属板バネと、前記カード挿入スペースの後端面より後方の位置で前記カード挿入方向に対して垂直方向に立設され、変位した前記第一の金属板バネが当接される金属突起部と、前記カード挿入スペースの一側面に沿ってカード挿入方向に延設され、前記第一の金属板バネより前方の位置で、前記カード挿入スペースに挿入されるカードの側壁面またはライトプロテクト設定／非設定用のロック手段に押圧されて変位する板状の第二の金属板バネと、前記第二の金属板バネに並行して設置され、変位した前記第二の金属板バネが当接される金属当接部と、前記第一及び第二の金属板バネに一体的に形成され、且つカード挿入方向に沿って延設されたリード状の第一の端子と、前記金属突起部と一体的に形成され、且つカード挿入方向に沿って延設されたリード状の第二の端子と、前記金属当接部と一体的に形成され、且つカード挿入方向に沿って延設されたリード状の第三の端子とを有し、前記第一、第二及び第三の端子を前記ハウジングの後縁面より外部へ引き出す構造としたことを特徴とする。
【００２２】
【発明の実施の形態】
以下、本発明の実施の形態を図面に基づいて説明する。
【００２３】
図１（ａ），（ｂ）は、本発明の第一実施形態に係るカード用コネクタを示す図であり、同図（ａ）はその平面図、同図（ｂ）はカード挿入口側の側面図である。図２は、図１に示すスイッチ部を用いたカード検知機能を示す模式図である。
【００２４】
このカード用コネクタは、カード挿入スペース１５が形成されたブロック体１０と、該ブロック体１０の両側部よりカードの挿脱方向に延設されたカードガイド部１１，１２とが一体形成された樹脂製のハウジングで構成されている。ブロック体１０内部には、カード３０側のコンタクトに嵌合するためのピンコンタクト１３が複数配設されたコンタクト部と、カード挿入スペース１５に挿入されたカードの挿入状態及びライトプロテクト設定状態を検知するためのスイッチ部２０とが収納され、またカードガイド部１１，１２内には、カード３０を装着してコンタクト部へ案内するためのガイド溝１１ａ，１２ｂが形成されている。
【００２５】
スイッチ部２０は、カード挿入検知用端子２１ａと、コモン端子２２ａと、ライトプロテクト検知用端子２３ａとを備え、これら端子２１ａ，２２ａ，２３ａの全てが、ブロック体１０の後縁面からカード挿入方向に沿って突出する形で配置されている。
【００２６】
そして、これら各端子２１ａ，２２ａ，２３ａは、図２に示すように、当該カード用コネクタが取り付けられた電子機器の検知回路４０に電気的に接続される。検知回路４０では、コモン端子２２ａとカード挿入検知用端子２１ａで電流のオン／オフ状態を検出してカード３０の挿入状態を検知し、さらにコモン端子２２ａとライトプロテクト検知用端子２３ａで電流のオン／オフ状態を検出してカード３０のライトプロテクト（書き込み禁止）設定の有無を検知するようになっている。
【００２７】
図３は、本実施形態の特徴を成すスイッチ部２０の詳細な構造を示す斜視図である。
【００２８】
同図に示すように、スイッチ部２０には、カード挿入方向にそれぞれ小、中、大の長さで延設された金属製の板状支持体２１，２２，２３が間隔を置いて並行配置されている。板状支持体２１の一側面（図３では左側面）からはリード状のカード挿入検知用端子２１ａがカード挿入方向に沿って延設され、さらに板状支持体２１の反対側面（図３では右側面）から垂直方向に折曲されて金属突起部２１ｂが構成され、その先端部には、板状支持体２２側の板バネ２２ｃの金属当接部２２ｄ（後述）に対向する金属当接部２１ｃが形成されている。
【００２９】
板状支持体２２側では、該板状支持体２２の一側面（図３では左側面）からリード状のコモン端子２２ａがカード挿入方向に沿って延設されている。また、板状支持体２２の長手側面から垂直方向に折曲されて、カード挿入方向（図３では左側）に沿って片持ち梁状に延びる板状金属片２２ｂを有し、該板状金属片２２ｂが更にカード挿入方向に対して略直角方向に屈曲されて、カード挿入スペース１５の後端面１５ａに沿って延びて板バネ２２ｃが構成され、その先端部には金属当接部２２ｄが形成されている。
【００３０】
カード挿入スペース１５に挿入されるカード３０の先端面によって金属当接部２２ｄが押圧されることで、板バネ２２ｃが変位して、板状支持体２２側の金属当接部２２ｄが板状支持体２１側の金属当接部２１ｃに接触するようになっている。
【００３１】
また、板状支持体２２の長手側面から垂直方向に折曲されて、カード脱出方向（図３では右側）に沿って片持ち梁状に延びる板状金属片２２ｅを有し、該板状金属片２２ｅが更にカード挿入スペース１５側へ山状に屈曲されて板バネ部２２ｆが構成され、その先端部には金属当接部２２ｇが形成されている。
【００３２】
そして、板状支持体２３側では、該板状支持体２３の長手側面から垂直方向に折曲されて、カード脱出方向に沿って片持ち梁状に延びる板状金属片２３ｂを有し、その先端部には金属当接部２３ｃが形成されている。
【００３３】
カード挿入スペース１５に挿入されるカード３０の側壁面またはライトプロテクト設定／非設定用のロック手段３１（図４参照）によって、板バネ部２２ｆの頂面が押圧されることで、板バネ部２２ｆが変位して、板状支持体２２側の金属当接部２２ｇが板状支持体２３側の金属当接部２３ｃに当接するようになっている。
【００３４】
次に、上記構成の本実施形態に係るカード用コネクタのカード挿入動作について、図４及び図５（ａ），（ｂ），（ｃ），（ｄ）を参照しつつ説明する。
【００３５】
図４及び図５（ａ）に示す状態は、カード３０の挿入前の状態を示し、このときは、板状支持体２２側の金属当接部２２ｄは板状支持体２１側の金属当接部２１ｃに接触していない状態にあり、同様に、板状支持体２２側の金属当接部２２ｇが板状支持体２３側の金属当接部２３ｃに接触していない状態にある。
【００３６】
その後、例えばロック手段３１をロック位置（ライトプロテクト設定位置）に設定したカード３０がカード挿入スペース１５に挿入されていく過程で、まずカード３０の側壁面によって板バネ部２２ｆの頂面が押圧されることで、板バネ部２２ｆが変位して、板状支持体２２側の金属当接部２２ｇが板状支持体２３側の金属当接部２３ｃに当接する。
【００３７】
さらにカード３０がカード挿入スペース１５に挿入されていき、カード３０の先端面が、カード挿入スペース１５の後端面１５ａ付近まで到達したとき、カード３０の先端面によって金属当接部２２ｄが押圧されて板バネ２２ｃが変位し、そして後端面１５ａから略０．４ｍｍ前の位置まで到達したときに（図５（ｂ）参照、Ｗ４＝０．４ｍｍ）、板状支持体２２側の金属当接部２２ｄが板状支持体２１側の金属当接部２１ｃに接触する。その結果、検知回路４０では、カード３０が完全にコネクタに挿入されたことを検知する。
【００３８】
これと同時に、山状に屈曲された板バネ部２２ｆが、カード３０の側壁に設けられたロック手段３１スライド用の溝３２に嵌合するため、板バネ部２２ｆの頂面の押圧が解除されて板バネ部２２ｆが元の位置に戻る結果、板状支持体２２側の金属当接部２２ｇが板状支持体２３側の金属当接部２３ｃから離れて非接触状態になる（図５（ｂ）参照）。その結果、検知回路４０では、カード３０がライトプロテクト設定状態にあることを検知する。
【００３９】
なお、ロック手段３１をフリー位置（ライトプロテクト非設定位置）に設定したカード３０がカード挿入スペース１５に挿入される場合は、山状の板バネ部２２ｆがロック手段３１に当接されているので、板バネ部２２ｆの頂面の押圧が解除されず板バネ部２２ｆが元の位置に戻ることはない（図５（ｃ）参照）。その結果、板状支持体２２側の金属当接部２２ｇと板状支持体２３側の金属当接部２３ｃとは接触状態を維持するため、検知回路４０では、カード３０がライトプロテクト非設定状態にあることを検知する。
【００４０】
図５（ｄ）に示す状態は、最終的にカード３０が挿入完了した状態であり、カード３０の先端面がカード挿入スペース１５の後端面１５ａの位置まで完全に到達している。
【００４１】
次に、本実施形態の利点を説明する。
【００４２】
従来のスイッチ部は、３種類の各端子をカード挿入スペースの横側に設けて、ハウジングの側面から外部へ突出する形で引き出す構造であるが、これに対して本実施形態では、ハウジングの後縁部（カード挿入スペースの最奥部）付近にスイッチ部を設けて、３種類の各端子をハウジングの後縁面から外部へ引き出す構造としたので、次のような利点を得ることができる。
【００４３】
（１）スイッチ部２０の横幅がコンパクトになり（従来の図８（ｂ）のＷ１１＝４．４６ｍｍに対して、本実施形態の図１（ｂ）のＷ１＝１．９５ｍｍ）、その結果、コネクタの横幅を小さくすることができる（従来の図８のＷ１２＝３０．５０ｍｍに対して、本実施形態の図１のＷ２＝２７．７０ｍｍ）。
【００４４】
（２）板状支持体２２側の金属当接部２２ｄと板状支持体２１側の金属当接部２１ｃと接触、つまりカード挿入検知用端子２１ａとコモン端子２２ａとの電気的導通は、カード３０の先端面がカード挿入スペースの後端面１５ａの直前に到達するときとなるので、従来よりもカードが完全に挿入された状態で行われる。すなわち、カード挿入検知の誤差は無視できる程度に小さくなり（上記従来例の図１１のＷ１６＝１．７ｍｍに対して、本実施形態の図５のＷ４＝０．４ｍｍ）、その結果、従来では１．７ｍｍ抜けないと、カードが引き抜かれたことを検知することができないが、本実施形態では、０．４ｍｍ抜けた時点で検知することができる。これは、稼働中のカードがコネクタから引き抜かられた場合において、カード損傷の可能性が従来例よりも小さくなることを意味する。
【００４５】
（３）本実施形態のカード用コネクタを金型により製造するに際して、図６に示すように、３種類の端子２１ａ，２２ａ，２３ａ等から成るスイッチ部２０を、金型抜き方向Ｄ１，Ｄ２の二方向から挿入・圧入することができるため、金型費用の低減が可能になる。
【００４６】
なお、本発明は、図７（ａ），（ｂ）に示すように、２つのカード挿入スペースを有し、それに対応してそれぞれコンタクト部５１，５２が形成されたハウジング５０を有するカード用コネクタにも適用可能である。
【００４７】
【発明の効果】
以上詳細に説明したように本発明によれば、次のような効果を奏する。
【００４８】
（１）スイッチ部の横幅がコンパクトになるので、コネクタのサイズを小さくすることができる。
【００４９】
（２）カード挿入検知の誤差を極小さくすることができるので、稼働中のカードがコネクタから引き抜かられた場合において、カード損傷の可能性が小さくなる。
【００５０】
（３）スイッチ部を金型抜き方向から挿入・圧入することができるため、金型費用の低減が可能になる。
【図面の簡単な説明】
【図１】本発明の第一実施形態に係るカード用コネクタを示す図である。
【図２】図１に示すスイッチ部を用いたカード検知機能を示す模式図である。
【図３】実施形態の特徴を成すスイッチ部２０の詳細な構造を示す斜視図である。
【図４】実施形態に係るカード用コネクタのカード挿入動作を示す図である。
【図５】実施形態に係るカード用コネクタのカード挿入動作を示す図である。
【図６】実施形態の効果を説明する図である。
【図７】実施形態の変形例を示す図である。
【図８】従来のカード用コネクタの構造を示す図である。
【図９】図８に示す従来のスイッチ部を用いたカード検知機能を示す模式図である。
【図１０】従来のカード用コネクタのカード挿入動作を示す図である。
【図１１】従来のカード用コネクタのカード挿入動作を示す図である。
【図１２】従来例の課題を説明するための図である。
【符号の説明】
１０　ブロック体
１３　ピンコンタクト
１５　カード挿入スペース
１５ａ　カード挿入スペースの後端面
２０　スイッチ部
２１ａ　カード挿入検知用端子（第二の端子）
２１，２２，２３　板状支持体
２１ｂ　金属突起部
２１ｃ　金属当接部
２２ａ　コモン端子（第一の端子）
２２ｂ　板状金属片
２２ｃ　金属板バネ（第一の金属板バネ）
２２ｄ　金属当接部
２２ｅ　板状金属片（第二の金属板バネ）
２２ｆ　板バネ部（第二の金属板バネ）
２２ｇ　金属当接部
２３ａ　ライトプロテクト検知用端子（第三の端子）
２３ｂ　板状金属片
２３ｃ　金属当接部
３０　メモリカード
３１　ライトプロテクト設定／非設定用のロック手段
【図１】
2004134195.tif 000003
【図２】
2004134195.tif 000004
【図３】
2004134195.tif 000005
【図４】
2004134195.tif 000006
【図５】
2004134195.tif 000007
【図６】
2004134195.tif 000008
【図７】
2004134195.tif 000009
【図８】
2004134195.tif 000010
【図９】
2004134195.tif 000011
【図１０】
2004134195.tif 000012
【図１１】
2004134195.tif 000013
【図１２】
2004134195.tif 000014